(57)【要約】  モータユニット１００は、モータ部１０と、モータ部４０に固定されるインバータ部７０を有する。モータ部１０は、ロータ２０とステータ２２とこれらを収容するモータハウジング１３とを有する。インバータ部７０は、回路基板７５を有したインバータハウジング７３を有する。モータハウジング１３は、ステータ２２の径方向外側に位置する筒部１４と、筒部１４のインバータ部７０側の端部に繋がるベースプレート２５とを有する。ベースプレート２５は、これに一体的に設けられてインバータハウジング７３を少なくとも軸方向に固定する固定部材を有する。
2019208073.tif 000002
【特許請求の範囲】
【請求項１】
軸方向に延びる中心軸を中心とするシャフトを有するモータ部と、
前記モータ部の軸方向他方側に位置して前記モータ部に固定されるインバータ部と、
を有し、
前記モータ部は、
前記シャフトの軸方向他方側に固定されるロータと、
前記ロータの径方向外側に位置するステータと、
前記ロータ及び前記ステータを収容するモータハウジングと、
を有し、
前記インバータ部は、回路基板を収容する回路基板収容部を有したインバータハウジングを有し、
前記インバータハウジングは、前記モータ部側に底部を有した有底筒状であり、
前記モータハウジングは、
前記ステータの径方向外側に位置して前記ステータを囲む筒部と、
前記筒部の前記インバータ部側の端部に繋がり前記インバータハウジングの軸方向一方側に配置されて前記中心軸に対して径方向に広がるベースプレートと、を有し、
前記ベースプレートは、前記ベースプレートに一体的に設けられて前記インバータハウジングを少なくとも軸方向に固定する固定部材を有する
モータユニット。
【請求項２】
前記インバータハウジングは、前記モータハウジングの軸方向他方側から径方向外側へ向かって延び、
前記ベースプレートは、板状であり、前記インバータハウジングの軸方向一方側の端面に沿う方向に延びて前記端面を覆い、
前記固定部材は、軸方向視において前記ベースプレートの径方向外側へ延びる方向に対して交差する方向の前記ベースプレートの両側の端部に位置する
請求項１に記載のモータユニット。
【請求項３】
前記固定部材は、
前記ベースプレートの前記端部の夫々から突出する加締め部を有し、
前記インバータハウジングは、軸方向視において径方向外側へ延びる方向に対して直交する方向の側面に前記インバータハウジングの内側へ窪む凹部を有し、
前記インバータハウジングは、前記加締め部が軸方向他方側へ折れ曲がり、且つ前記凹部内に折れ曲がっている事により、前記ベースプレートに固定される
請求項２に記載のモータユニット。
【請求項４】
前記凹部は、前記インバータハウジングの前記側面のうち前記端面から軸方向他方側へ所定距離を有した位置から窪んだ面部を有し、
前記加締め部は、前記凹部内に折れ曲がった状態で前記面部に接触している
請求項３に記載のモータユニット。
【請求項５】
前記凹部は、前記側面において前記面部から軸方向他方側へ延びるとともに、前記インバータハウジングの延びる方向の両側に軸方向に延びる一対の側面部を有し、
一対の前記側面部間の間隔は、前記加締め部の幅よりも大きい
請求項４に記載のモータユニット。
【請求項６】
前記加締め部は、前記凹部の前記面部に接触した状態において、前記加締め部の幅方向両側の端部の夫々が前記凹部の一対の前記側面部に対向する位置に配置される
請求項５に記載のモータユニット。
【請求項７】
前記モータハウジングの前記筒部及び前記ベースプレートは、絞り加工による一体物である
請求項１記載のモータユニット。
【請求項８】
前記インバータ部は、前記インバータハウジングの軸方向他方側に開口する開口部を覆うカバー部を、更に有し、
前記インバータハウジング及び前記カバー部は、前記ベースプレートに通されたボルトを介して共締めされて一体的に結合される
請求項１から７のいずれか１項に記載のモータユニット。
【請求項９】
前記請求項１から前記請求項８のいずれか１項に記載の前記モータユニットを有し、
前記モータユニットの前記モータ部の軸方向一方側に位置し、前記モータ部によって前記シャフトを介して駆動されオイルを吐出するポンプ部を、有し、
前記ポンプ部は、
前記モータ部から軸方向一方側に突出する前記シャフトに取り付けられるポンプロータと、
前記ポンプロータを収容する収容部を有したポンプハウジングと、
を有する
電動オイルポンプ。
【発明の詳細な説明】
【技術分野】
【０００１】
本発明は、モータユニット及び電動オイルポンプに関する。
【背景技術】
【０００２】
例えば、特許文献１には、モータ部とポンプ部と回路基板を有したインバータ部とが一体化された電動オイルポンプが開示される。インバータ部は、回路基板を収容する有底筒状のインバータハウジングと、インバータハウジングの開口部を覆うカバーと、を有する。カバーは、ボルトを介してインバータハウジングに固定される。また、インバータ部は、これを貫通するボルトを介してモータ部のモータハウジングに固定される。【０００３】
電動オイルポンプは、モータ部から延びるコイルのコイル端が回路基板に電気的に接続されるが、接続時にモータ部に対してインバータ部の位置がずれると、回路基板に対するコイル端の接続が遮断し、またコイルが破断する場合がある。そこで、コイル端と回路基板との電気的接続時には、インバータ部をモータ部に固定する必要がある。
【先行技術文献】
【特許文献】
【０００４】
【特許文献１】特開２０１５−１７２３５０号公報
【発明の概要】
【発明が解決しようとする課題】
【０００５】
しかしながら、特許文献１に記載の電動オイルポンプは、インバータハウジングを自動変速機の筐体に固定しなければ、カバーを開けた状態で、インバータハウジングをモータハウジングに固定することができない。このため、モータ部のコイル端をインバータハウジング内の回路基板に電気的に接続する際に、モータハウジングに対して、インバータハウジングが動く場合が生じる。この場合には、コイル端の回路基板への電気的接続が遮断したり、コイルが破断したりすることがある。【０００６】
本発明の目的は、モータ部のコイル端を回路基板に電気的に接続する際に、モータ部に対してインバータハウジングが移動することのないモータユニット及び電動オイルポンプを提供することである。
【課題を解決するための手段】
【０００７】
本願の例示的な第１発明は、軸方向に延びる中心軸を中心とするシャフトを有するモータ部と、前記モータ部の軸方向他方側に位置して前記モータ部に固定されるインバータ部と、を有し、前記モータ部は、前記シャフトの軸方向他方側に固定されるロータと、前記ロータの径方向外側に位置するステータと、前記ロータ及び前記ステータを収容するモータハウジングと、を有し、前記インバータ部は、回路基板を収容する回路基板収容部を有したインバータハウジングを有し、前記インバータハウジングは、前記モータ部側に底部を有した有底筒状であり、前記モータハウジングは、前記ステータの径方向外側に位置して前記ステータを囲む筒部と、前記筒部の前記インバータ部側の端部に繋がり前記インバータハウジングの軸方向一方側に配置されて前記中心軸に対して径方向に広がるベースプレートと、を有し、前記ベースプレートは、前記ベースプレートに一体的に設けられて前記インバータハウジングを少なくとも軸方向に固定する固定部材を有するモータユニットである。
【発明の効果】
【０００８】
本願の例示的な第１発明によれば、モータ部のコイル端を回路基板に電気的に接続する際に、モータ部に対してインバータハウジングが移動することのないモータユニット及び電動オイルポンプを提供することができる。
【図面の簡単な説明】
【０００９】
【図１】第１実施形態に係る電動オイルポンプの斜視図である。
【図２】電動オイルポンプの内部構造を示した断面図である。
【図３】固定部材の拡大断面図である。
【図４】固定部材の拡大側面図である。
【図５】電動オイルポンプの底面図である。
【発明を実施するための形態】
【００１０】
以下、図面を参照しながら、本発明の実施形態に係る電動オイルポンプについて説明する。また、以下の図面においては、各構成をわかり易くするために、実際の構造と各構造における縮尺及び数等を異ならせる場合がある。なお、本発明のモータユニットは、電動オイルポンプの一部を構成するので、電動オイルポンプの説明の中でモータユニットを説明する。
【００１１】
また、図面においては、適宜３次元直交座標系としてＸＹＺ座標系を示す。ＸＹＺ座標系において、Ｚ軸方向は、図２に示す中心軸Ｊの軸方向と平行な方向とする。Ｘ軸方向は、図１に示す電動オイルポンプの短手方向と平行な方向、すなわち、図１の紙面と直交する方向とする。Ｙ軸方向は、Ｘ軸方向とＺ軸方向との両方と直交する方向とする。Ｘ軸方向、Ｙ軸方向、Ｚ軸方向の何れにおいても、図中に示される矢印の向く側を＋側、反対側を−側とする。
【００１２】
また、以下の説明においては、Ｚ軸方向の正の側（＋Ｚ側）を「リア側」と記述し、Ｚ軸方向の負の側（−Ｚ側）を「フロント側」と記す。なお、リア側及びフロント側とは、単に説明のために用いられる名称であって、実際の位置関係や方向を限定しない。また、特に断りのない限り、中心軸Ｊに平行な方向（Ｚ軸方向）を単に「軸方向」と記述し、中心軸Ｊを中心とする径方向を単に「径方向」と記述し、中心軸Ｊを中心とする周方向、すなわち、中心軸Ｊの軸周り（θ方向）を単に「周方向」と記述する。
【００１３】
なお、本明細書において、軸方向に延びる、とは、厳密に軸方向（Ｚ軸方向）に延びる場合に加えて、軸方向に対して、４５°未満の範囲で傾いた方向に延びる場合も含む。また、本明細書において、径方向に延びる、とは、厳密に径方向、すなわち、軸方向（Ｚ軸方向）に対して垂直な方向に延びる場合に加えて、径方向に対して、４５°未満の範囲で傾いた方向に延びる場合も含む。
【００１４】
[第１実施形態]
＜全体構成＞
図１は、第１実施形態に係る電動オイルポンプの斜視図である。図２は、電動オイルポンプの内部構造を示した断面図である。本実施形態の電動オイルポンプ１は、図１及び図２に示すように、モータ部１０と、ポンプ部４０と、インバータ部７０と、を有する。モータ部１０とポンプ部４０は、軸方向に沿って配置される。モータ部１０は、軸方向に延びる中心軸Ｊに沿って配置されたシャフト１１を有する。ポンプ部４０は、モータ部１０の軸方向一方側（フロント側）に位置し、モータ部１０によってシャフト１１を介して駆動されオイルを吐出する。インバータ部７０は、モータ部１０の軸方向他方側（リア側）に位置してモータ部１０に固定される。なお、モータ部１０とインバータ部７０とを合わせて、モータユニット１００と記す。以下、構成部材毎に詳細に説明する。
【００１５】
＜インバータ部７０＞
インバータ部７０は、回路基板７５を収容する回路基板収容部７３ａを有したインバータハウジング７３を有する。インバータハウジング７３は、モータ部１０側に底部７３ｂを有した有底筒状である。インバータハウジング７３は、モータハウジング１３の軸方向他方側（リア側）から径方向外側へ向かって延びる。本実施形態では、インバータハウジング７３は、樹脂材料製であり、軸方向視において長方形状である。インバータ部７０は、インバータハウジング７３の軸方向他方側（リア側）に開口する開口部７３ｃを覆うカバー部９０を、更に有する。
【００１６】
インバータハウジング７３は、図１に示すように、軸方向視において径方向外側へ延びる方向に対して直交する方向の側面７３ｄにインバータハウジング７３の内側へ窪む凹部７３ｅを有する。本実施形態では、凹部７３ｅは、インバータハウジング７３のＸ軸方向両端部であって、筒部１４の径方向外側の位置及び筒部１４のＹ軸方向マイナス側に位置するフランジ部７７に近接した位置に設けられる。つまり、凹部７３ｅは、インバータハウジング７３のＸ軸方向両側の側面７３ｄに２ヶ所ずつ、合計４か所設けられる。インバータハウジング７３のＸ軸方向一方側に設けられる凹部７３ｅと、インバータハウジング７３のＸ軸方向他方側に設けられる凹部７３ｅは、中心軸Ｊと交差してＹ軸方向に延びる仮想線Ａ（図５参照）に対して対向して配置される。フランジ部７７については後述する。
【００１７】
インバータハウジング７３のＸ軸方向両側の側面７３ｄには、中心軸Ｊに対して放射状に延びる複数のフランジ部７７が設けられる。本実施形態では、４つのフランジ部７７が周方向に間隔を有して設けられる。フランジ部７７には、ボルトを通すための固定孔部７７ａが設けられる。固定孔部７７ａは、電動オイルポンプ１を固定対象物（図示せず）に固定するためのボルトを通すための孔である。
【００１８】
図３は、固定部材の拡大断面図である。図４は、固定部材の拡大側面図である。凹部７３ｅは、図３及び図４に示すように、インバータハウジング７３の側面７３ｄのうち端面７３ｆから軸方向他方側（リア側）へ所定距離を有した位置から窪んだ面部７３ｅ１を有する。なお、端面７３ｆは、インバータハウジング７３のモータ部１０側に対向する面である。
【００１９】
凹部７３ｅは、側面７３ｄにおいて面部７３ｅ１から軸方向他方側（リア側）へ延びるとともに、インバータハウジング７３の延びる方向の両側に軸方向に延びる一対の側面部７３ｅ２を有する。一対の側面部７３ｅ２間の間隔Ｌは、加締め部３１の幅Ｗよりも大きい。加締め部３１については後述する。
【００２０】
＜モータ部１０＞
モータ部１０は、図２に示すように、モータハウジング１３と、ロータ２０と、シャフト１１と、ステータ２２と、を有する。
【００２１】
モータ部１０は、例えば、インナーロータ型のモータであり、ロータ２０がシャフト１１の軸方向他方側（リア側）に固定され、ステータ２２がロータ２０の径方向外側に位置する。
【００２２】
（モータハウジング１３）
モータハウジング１３は、ロータ２０及びステータ２２を収容する。また、モータハウジング１３は、筒部１４とベースプレート２５とを有する。筒部１４は、ステータ２２の径方向外側に位置してステータ２２を囲む。ベースプレート２５は、筒部１４のインバータ部７０側の端部に繋がりインバータハウジング７３の軸方向一方側（フロント側）に配置されて中心軸Ｊに対して径方向に広がる。
【００２３】
（筒部１４）
筒部１４は、軸方向に延びて内部に貫通孔１４ａを有する。貫通孔１４ａ内にモータ部１０のシャフト１１とロータ２０とステータ２２が配置される。筒部１４の内側面１４ｂには、ステータ２２の外側面、すなわち、後述するコアバック部２２ａの外側面が嵌め合わされる。これにより、筒部１４にステータ２２が収容される。筒部１４は金属材料製である。
【００２４】
（ベースプレート２５）
ベースプレート２５は、筒部１４のインバータ部７０側の端部に繋がる。ベースプレート２５は、図１及び図２に示すように、板状であり、インバータハウジング７３の軸方向一方側の端面７３ｆに沿う方向に延びて端面７３ｆを覆う。本実施形態では、ベースプレート２５は、筒部１４から径方向外側に突出して、軸方向視においてＹ軸方向に長方形状である。ベースプレート２５の筒部１４からＹ軸方向マイナス側は、プラス側よりも大きく突出する。モータハウジング１３の筒部１４及びベースプレート２５は、絞り加工による一体物である。
【００２５】
図５は、電動オイルポンプの底面図である。ベースプレート２５のうち筒部１４の径方向外側には、図１及び図５に示すように、放射状に突出する複数のフランジ部２５ａが設けられる。本実施形態では、４つのフランジ部２５ａが周方向に間隔を有して設けられる。フランジ部２５ａには、ボルトを通すための固定孔部２５ｂが設けられる。固定孔部２５ｂは、電動オイルポンプ１を固定対象物に固定するためのボルトを通すための孔である。ベースプレート２５の固定孔部２５ｂと、インバータハウジング７７の固定孔部７７ａは連通する。
【００２６】
また、図示しないが、インバータハウジング７７の開口部を覆うカバー部９０には、インバータハウジング７７の固定孔部７７ａに連通する孔部が設けられる。このため、インバータハウジング７３及びカバー部９０は、ベースプレート２５に通されたボルトを介して共締めされて一体的に結合される。
【００２７】
（固定部材３０）
ベースプレート２５は、図１及び図５に示すように、ベースプレート２５に一体的に設けられてインバータハウジング７３を少なくとも軸方向に固定する固定部材３０を有する。固定部材３０は、軸方向視においてベースプレート２５の径方向外側へ延びる方向に対して交差する方向のベースプレート２５の両側の端部に位置する。
【００２８】
本実施形態では、固定部材３０は、ベースプレート２５のＸ軸方向両端部であって、筒部１４の径方向外側の位置及び筒部１４のＹ軸方向マイナス側に位置するフランジ部２５ａに近接した位置に設けられる。つまり、固定部材３０は、ベースプレート２５のＸ軸方向両端部に２ヶ所ずつ、合計４か所設けられる。ベースプレート２５のＸ軸方向一方側に設けられる固定部材３０と、ベースプレート２５のＸ軸方向他方側に設けられる固定部材３０は、中心軸Ｊと交差してＹ軸方向に延びる仮想線Ａに対して対向して配置される。
【００２９】
固定部材３０は、図３及び図４に示すように、ベースプレート２５の端部から突出する加締め部３１を有する。加締め部３１は、ベースプレート２５に対して軸方向他方側（リア側）へ折れ曲がり、且つ凹部７３ｅ内に折れ曲がっている事により、インバータハウジング７３をベースプレート２５に固定する。加締め部３１は、凹部７３ｅ内に折れ曲がった状態で面部７３ｅ１に接触している。このため、加締め部３１によって、インバータハウジング７３をベースプレート２５に対して少なくとも軸方向に固定することができる。
【００３０】
なお、加締め部３１は、図３に示すように、凹部７３ｅ内に折れ曲がった状態で面部７３ｅ１に接触し、且つ加締め部３１の先端部が破線で示すように軸方向一方側（フロント側）へ更に折れ曲がった状態になってもよい。この場合には、ベースプレート２５に対してインバータハウジング７３がＸ軸方向に移動するガタをより抑制することができる。
【００３１】
また、加締め部３１は、図５に示すように、ベースプレート２５のＸ軸方向の両側端部に設けられているので、加締め部３１でインバータハウジング７３を固定すると、インバータハウジング７３をベースプレート２５にガタつきなく強固に固定することができる。
【００３２】
加締め部３１は、図４に示すように、凹部７３ｅの面部７３ｅ１に接触した状態において、加締め部３１の幅方向両側の端部の夫々が凹部７３ｅの一対の側面部７３ｅ２に対向する位置に配置される。このため、加締め部３１を凹部７３ｅ内に折り曲げる際に、加締め部３１が凹部７３ｅの側面部７３ｅ２に接触することを抑制することができる。また、ベースプレート２５に対してインバータハウジング７３の位置がＹ軸方向にずれた場合、加締め部３１の幅方向両側の端部が凹部７３ｅの側面部７３ｅ２に接触して、インバータハウジング７３のＹ軸方向のずれを抑えることができる。
【００３３】
（ロータ２０）
ロータ２０は、図２に示すように、ロータコア２０ａと、ロータマグネット２０ｂと、を有する。ロータコア２０ａは、シャフト１１を軸周り（θ方向）に囲んで、シャフト１１に固定される。ロータマグネット２０ｂは、ロータコア２０ａの軸周り（θ方向）に沿った外側面に固定される。ロータコア２０ａ及びロータマグネット２０ｂは、シャフト１１と共に回転する。なお、ロータ２０は、ロータ２０の内部に永久磁石が埋め込まれた埋込磁石型でもよい。埋込磁石型のロータ２０は、永久磁石をロータ２０の表面に設けた表面磁石型と比較して、遠心力によって磁石が剥がれることを軽減することができ、また、リラクタンストルクを積極的に利用することができる。
【００３４】
（ステータ２２）
ステータ２２は、ロータ２０を軸周り（θ方向）に囲み、ロータ２０を中心軸Ｊ周りに回転させる。ステータ２２は、コアバック部２２ａと、ティース部２２ｃと、コイル２２ｂと、インシュレータ（ボビン）２２ｄと、を有する。
【００３５】
コアバック部２２ａの形状は、シャフト１１と同心の円筒状である。ティース部２２ｃは、コアバック部２２ａの内側面からシャフト１１に向かって延びる。ティース部２２ｃは、複数設けられ、コアバック部２２ａの内側面の周方向に均等な間隔で配置される。コイル２２ｂは、インシュレータ（ボビン）２２ｄの周囲に設けられる。インシュレータ（ボビン）１９は、各ティース部２２ｃに装着される。
【００３６】
（シャフト１１）
シャフト１１は、図２に示すように、中心軸Ｊに沿って延びてモータ部１０を貫通する。シャフト１１のフロント側（−Ｚ側）は、モータ部１０から突出してベアリング１７で支持されてポンプ部４０内に延びる。シャフト１１のリア側（＋Ｚ側）は、ロータ２０から突出してベアリング１６で支持される。このため、ロータ２０は、両端支持の状態となる。
【００３７】
＜ポンプ部４０＞
ポンプ部４０は、図２に示すように、モータ部１０の軸方向一方側、詳細にはフロント側（−Ｚ側）に位置する。ポンプ部４０は、モータ部１０によってシャフト１１を介して駆動される。ポンプ部４０は、ポンプロータ４７と、ポンプハウジング５１と、を有する。ポンプハウジング５１は、ポンプボディ５２と、ポンプカバー５７と、を有する。以下、各部品について詳細に説明する。
【００３８】
（ポンプボディ５２）
ポンプボディ５２は、モータ部１０のフロント側（−Ｚ側）においてモータハウジング１３のフロント側（−Ｚ側）に固定される。ポンプボディ５２は、リア側（＋Ｚ側）の面からフロント側（−Ｚ側）に窪む凹部５４を有する。凹部５４内にはベアリング１７及びシール部材１８が収容される。ポンプボディ５２は、ポンプロータ４７の周面に対向する側面５３ａ及びポンプ部４０のリア側（＋Ｚ側）に位置する底面５３ｂを有する収容部５３を有する。収容部５３は、フロント側（−Ｚ側）に開口してリア側（＋Ｚ側）に窪む。収容部５３の軸方向から視た形状は、円形状である。
【００３９】
ポンプカバー５７は、図２に示すように、ポンプボディ５２に対してフロント側（−Ｚ側）から覆うことで、ポンプボディ５２との間に収容部５３を設ける。
【００４０】
ポンプボディ５２は、中心軸Ｊに沿って貫通する貫通孔５５を有する。貫通孔５５は軸方向両端が開口してシャフト１１が通され、リア側（＋Ｚ側）の開口が凹部５４に開口し、フロント側（−Ｚ側）の開口が収容部５３に開口する。貫通孔５５は、シャフト１１を回転可能に支持するすべり軸受４５として機能する。
【００４１】
ポンプボディ５２の外側の側面には、図１に示すように、径方向外側へ突出するとともに軸方向に延びるポンプ側フランジ部５２ａが設けられる。ポンプ側フランジ部５２ａは、周方向に間隔を有して複数設けられる。ポンプ側フランジ部５２ａは、軸方向に貫通する貫通孔（図示せず）が設けられる。この貫通孔に通されたボルト５６を介して、ポンプボディ５２がモータハウジング１３に着脱可能に固定される。
【００４２】
（ポンプカバー５７）
ポンプカバー５７は、図１及び図２に示すように、軸方向一方側（フロント側）に設けられた端面５８と、端面５８の周縁部に繋がって軸方向他方側へ延びる筒状の側面６１と、を有する。端面５８及び側面６１のいずれか一方に吸入口６３が設けられ、端面５８及び側面６１のいずれか他方に吐出口６４が設けられる。本実施形態では、端面５８は、軸方向視において円形状である。吸入口６３は、端面５８に設けられる。吐出口６４は、側面６１に設けられる。吸入口６３は、端面の径方向一方側の周縁部に配置され、吐出口６４は、中心軸Ｊに対して吸入口６３と対向する位置に配置される。
【００４３】
吸入口６３は、軸方向視において円形状である。吐出口６４は、側面６１の周方向に延びる長孔状である。吐出口６４の開口面積は、吸入口６３の開口面積と同一である。なお、吐出口６４の開口面積は、吸入口６３の開口面積よりも僅かに小さくてもよい。吐出口６４は、側面６１の軸方向一方側の端部から軸方向他方側へ所定距離を有した位置に配置される。側面６１のうち軸方向一方側の端部と吐出口６４との間には、オイルを吸入口６３に供給する供給油路を側面６１に密着させるシール部材６６が環状に設けられる。
【００４４】
（ポンプロータ４７）
ポンプロータ４７は、シャフト１１に取り付けられる。より詳細には、ポンプロータ４７は、シャフト１１のフロント側（−Ｚ側）に取り付けられる。ポンプロータ４７は、シャフト１１に取り付けられるインナーロータ４７ａと、インナーロータ４７ａの径方向外側を囲むアウターロータ４７ｂと、を有する。インナーロータ４７ａは、円環状である。インナーロータ４７ａは、径方向外側面に歯を有する歯車である。
【００４５】
インナーロータ４７ａは、シャフト１１に固定される。より詳細には、インナーロータ４７ａの内側にシャフト１１のフロント側（−Ｚ側）の端部が圧入される。インナーロータ４７ａは、シャフト１１と共に軸周り（θ方向）に回転する。アウターロータ４７ｂは、インナーロータ４７ａの径方向外側を囲む円環状である。アウターロータ４７ｂは、径方向内側面に歯を有する歯車である。
【００４６】
インナーロータ４７ａとアウターロータ４７ｂとは互いに噛み合い、インナーロータ４７ａが回転することでアウターロータ４７ｂが回転する。すなわち、シャフト１１の回転によりポンプロータ４７は回転する。言い換えると、モータ部１０とポンプ部４０とは同一の回転軸を有する。これにより、電動オイルポンプ１が軸方向に大型化することを抑制できる。
【００４７】
また、インナーロータ４７ａとアウターロータ４７ｂとが回転することで、インナーロータ４７ａとアウターロータ４７ｂの噛み合わせ部分の間の容積が変化する。容積が減少する領域が加圧領域なり、容積が増加する領域が負圧領域となる。ポンプロータ４７の負圧領域のリア側（＋Ｚ側）には、吸入ポート６３ａが配置される。また、ポンプロータ４７の加圧領域のリア側（＋Ｚ側）には、吐出ポート６４ａが配置される。ここで、ポンプカバー５７に設けられた吸入口６３から収容部５３内に吸入されるオイルは、インナーロータ４７ａとアウターロータ４７ｂの間の容積部分に収容され、加圧領域に送られる。その後、オイルは、吐出ポート６４ａを通って吐出口６４から吐出される。
【００４８】
＜電動オイルポンプ１の作用・効果＞
次に、電動オイルポンプ１の作用・効果について説明する。図２に示すように、電動オイルポンプ１のモータ部１０が駆動すると、モータ部１０のシャフト１１が回転して、ポンプロータ４７のインナーロータ４７ａの回転にともなってアウターロータ４７ｂも回転する。ポンプロータ４７が回転すると、ポンプ部４０の吸入口６３から吸引されたオイルは、ポンプ部４０の収容部５３内を移動して、吐出ポート６４ａを通って吐出口６４から吐出される。
【００４９】
（１）ここで、本実施形態に係るモータユニット１００及び電動オイルポンプ１のベースプレート２５は、図１に示すように、ベースプレート２５に一体的に設けられてインバータハウジング７３を少なくとも軸方向に固定する固定部材３０を有する。このため、インバータハウジング７３にカバー部９０が取り付けられていない状態で、インバータハウジング７３をベースプレート２５に固定することができる。したがって、インバータハウジング７３がモータ部１０に固定されるので、モータ部１０に対してインバータハウジング７３が動いて、モータ部１０のコイル端と回路基板７５（図２参照）との電気的接続が遮断されたり、コイル２２ｂが破断したりすることを抑制することができる。
【００５０】
（２）また、固定部材３０は、図５に示すように、軸方向視においてベースプレート２５の径方向外側へ延びる方向に対して交差する方向のベースプレート２５の両側の端部に位置する。このため、固定部材３０がベースプレート２５の両側の一方の端部のみに固定部材３０がある場合と比較して、インバータ部７０をベースプレート２５に強固に固定することができる。
【００５１】
（３）また、インバータハウジング７３は、図３に示すように、加締め部３１が軸方向他方側へ折れ曲がり、且つ凹部７３ｅ内に折れ曲がっている事により、ベースプレート２５に固定される。このため、インバータハウジング７３にカバー部９０を装着することなく、インバータハウジング７３がベースプレート２５に固定されるので、モータ部１０のコイル端をインバータハウジング７３内に設けられた回路基板７５に電気的に接続する際に、インバータハウジング７３がモータ部１０に対して動くことを無くすことができる。
【００５２】
（４）また、加締め部３１は、図３に示すように、凹部７３ｅ内に折れ曲がった状態で面部７３ｅ１に接触している。このため、インバータハウジング７３とベースプレート２５の固定を強固にすることができるとともに、軸方向のガタの発生を防止することができる。
【００５３】
（５）また、インバータハウジング７３に設けられた凹部７３ｅの一対の側面部７３ｅ２間の間隔Ｌは、図４に示すように、加締め部３１の幅Ｗよりも大きい。このため、加締め部３１を凹部７３ｅ内に折り曲げる際に、加締め部３１が凹部７３ｅの側面部７３ｅ２に接触することを抑制することができる。
【００５４】
（６）また、加締め部３１は、図４に示すように、凹部７３ｅの面部７３ｅ１に接触した状態において、加締め部３１の幅方向両側の端部の夫々が凹部７３ｅの一対の側面部７３ｅ２に対向する位置に配置される。このため、ベースプレート２５に対してインバータハウジング７３の位置がＹ軸方向にずれた場合、加締め部３１の幅方向両側の端部が凹部７３ｅの側面部７３ｅ２に接触して、インバータハウジング７３のＹ軸方向のずれを抑えることができる。
【００５５】
（７）また、モータハウジング１３の筒部１４及びベースプレート２５は、図１に示すように、絞り加工による一体物である。このため、筒部１４及びベースプレート２５が別体である場合と比較して、部品点数を低減することができる。
【００５６】
（８）また、インバータハウジング７３及びカバー部９０は、ベースプレート２５に通されたボルトを介して共締めされて一体的に結合される。このため、インバータハウジング７３及びカバー部９０をボルトで固定し、且つインバータ部７０をベースプレート２５に他のボルトで固定する場合と比較して、ボルトの数を低減することができる。
【００５７】
（９）また、電動オイルポンプ１が、モータ部１０の軸方向一方側に位置して、モータ部１０によってシャフト１１を介して駆動されオイルを吐出するポンプ部４０を、有し、ポンプ部４０は、ポンプロータ４７とポンプハウジング５１と有することで、モータ部１０のコイル端を回路基板７５に電気的に接続する際に、モータ部１０に対してインバータハウジング７３が移動することのない電動オイルポンプ１を提供することができる。
【００５８】
以上、本発明の好ましい実施形態について説明したが、本発明は、これらの実施形態に限定されず、その要旨の範囲内で種々の変形および変更が可能である。これらの実施形態及びその変形は、発明の範囲及び要旨に含まれると同時に、特許請求の範囲に記載された発名とその均等の範囲に含まれる。
【００５９】
本出願は、２０１８年４月２４日に出願された日本特許出願である特願２０１８−８３４３９号に基づく優先権を主張し、当該日本特許出願のすべての記載内容を援用する。
【符号の説明】
【００６０】
１  電動オイルポンプ
１０  モータ部
１１  シャフト
１３  モータハウジング
１４  筒部
２０  ロータ
２２  ステータ
２５ベースプレート
３０  固定部材
３１  加締め部
４０  ポンプ部
４７  ポンプロータ
５１  ポンプハウジング
７０  インバータ部
７３  インバータハウジング
７３ａ  回路基板収容部
７３ｂ  底部
７３ｄ  側面
７３ｅ  凹部
７３ｅ１  面部
７３ｅ２  側面部
７３ｆ  端面
９０  カバー部
１００  モータユニット
Ｊ  中心軸
【図１】
2019208073.tif 000003
【図２】
2019208073.tif 000004
【図３】
2019208073.tif 000005
【図４】
2019208073.tif 000006
【図５】
2019208073.tif 000007
【国際調査報告】
2019208073.tif 000008
2019208073.tif 000009
2019208073.tif 000010
2019208073.tif 000011